(57)【特許請求の範囲】
【請求項１】
テープが巻回されたテープリールと、
前記テープリールを収容し、前記テープを引き出すための開口が側壁に形成されたケースと、
前記ケースの外部に露出する取っ手部を有し、前記側壁に沿ってスライド可能に設けられて前記開口を開放及び閉塞するドアとを備え、
前記テープの先端には、テープを引き出すためのリーダー部材が設けられ、
前記ケースには、前記ドアを所定のスライド方向に摺動可能に案内するガイド部が形成され、
前記ケースにおける前記開口の内側には、前記リーダー部材を収容する収容部が設けられており、
前記ガイド部のうち前記収容部に隣接する部分には、前記ドアが閉塞するときに、該ドアに当接することによって該ドアを前記ケースの外向きに押す当接部が設けられているテープカートリッジ。
【請求項２】
請求項１に記載のテープカートリッジにおいて、
前記ガイド部は、前記ドアを摺動可能に案内する案内溝であって、
前記当接部は、前記案内溝の側面のうち、前記ケースの内寄りの側面である内側面に、該ケースの外寄りの側面である外側面の方へ膨出するように設けられ、
前記ドアには、前記案内溝の内側面と対向し且つ、該ドアが閉塞するときに前記当接部と当接する傾斜面が設けられ、
前記傾斜面は、前記案内溝の内側面との間隔が前記スライド方向の開く側に向かって徐々に狭くなるように傾斜しているテープカートリッジ。
【請求項３】
請求項２に記載のテープカートリッジにおいて、
前記ケースにおける前記開口の内側には、前記リーダー部材を保持しておく保持部が設けられており、
前記ドアは、本体部と、前記開口を閉塞する際の前記保持部との干渉を避けるために該本体部のうち、前記案内溝の内側面と対向する面である裏面が陥没した薄肉部とを有し、
前記傾斜面は、前記ドアの裏面において、前記本体部と前記薄肉部との境界において該本体部と該薄肉部とを繋ぐように形成されているテープカートリッジ。
【請求項４】
テープが巻回されたテープリールと、
前記テープリールを収容し、前記テープを引き出すための開口が側壁に形成されたケースと、
前記ケースの外部に露出する取っ手部を有し、前記側壁に沿ってスライド可能に設けられて前記開口を開放及び閉塞するドアとを備え、
前記テープの先端には、テープを引き出すためのリーダー部材が設けられ、
前記ケースには、前記ドアを所定のスライド方向に摺動可能に案内するガイド部が形成され、
前記ケースにおける前記開口の内側には、前記リーダー部材を収容する収容部が設けられており、
前記ドアには、前記ドアが閉塞するときに、前記ガイド部に当接することによって該ドアを前記ケースの外向きに押す当接部が設けられ、
前記ガイド部は、前記ドアを摺動可能に案内する案内溝であって、
前記当接部は、前記ドアのうち、前記案内溝の前記ケースの内寄りの側面である内側面と対向する面である裏面に、該案内溝の内側面の方へ膨出するように設けられ、
前記案内溝の内側面には、該ドアが閉塞するときに前記当接部と当接する傾斜面が設けられ、
前記傾斜面は、前記案内溝の溝幅が前記スライド方向の閉じる側に向かって徐々に狭くなるように傾斜し、
前記傾斜面は、前記ガイド部のうち前記収容部に隣接する部分に設けられているテープカートリッジ。
【発明の詳細な説明】
【技術分野】
【０００１】
本発明は、テープリールとケースとを備えたテープカートリッジに関するものである。
【背景技術】
【０００２】
従来より、テープリールとケースとを備えたテープカートリッジが知られている。例えば、特許文献１に係るテープカートリッジは、テープが巻回されたテープリールと、該テープリールを収容し、該テープを引き出すための開口が側壁に形成されたケースと、該開口を開放及び閉塞するドアとを備えている。該ドアは、ケースの外部に露出する取っ手部を有し、ケースの側壁に沿ってスライド可能に設けられている。このように構成されたテープカートリッジは、ドアのスライド方向と平行な方向に、テープドライブへ挿入される。テープドライブには、ドアの取っ手部に係合する係合部が設けられている。テープカートリッジがテープドライブへ挿入されるときに、その途中で、ドアの取っ手が係合部に係合する。その状態でテープカートリッジがさらに挿入されると、ドアがケースに対して相対的に移動し、開口が開放される。こうして、テープの装填が完了するときには、ケースの開口が開放された状態となる。その後、ケースの開口からテープが引き出される。
【先行技術文献】
【特許文献】
【０００３】
【特許文献１】特開２０１０−６１７４５号公報
【発明の概要】
【発明が解決しようとする課題】
【０００４】
ところで、前記ドアは、通常、ケースに形成された案内溝等のガイド部に案内されている。ドアやガイド部の形状誤差や摺動性を考慮すると、溝幅等のガイド部の寸法は、ドアの厚みよりも多少の余裕を有している。そのため、ドアとガイド部とは多少なりともガタツキを有する。このガタツキが大きいと、ドアがケースに対して内側に入り過ぎたり、外側に出過ぎたりする場合がある。そして、ドアがケースの内側に入り過ぎていると、ドアの取っ手部がテープドライブの係合部と係合しない虞がある。
【０００５】
そこで、ドアの取っ手部を、ドアが内側に入り込んだ場合であってもケースの外側に十分に突出する形状とすることが考えられる。しかし、この構成では、ドアが本来の適切な位置に位置したときに、取っ手部がケースの外側へ出過ぎるという問題が生じる。取っ手部が外方に突出し過ぎると、テープカートリッジをテープドライブへ挿入する際にドアの取っ手部がテープドライブの係合部以外の他の部分（例えば、挿入口の縁）に干渉してしまう虞がある。
【０００６】
そこで、別の方策として、ガイド部の寸法の余裕を小さくすることによってドアの位置精度を向上させることが考えられる。しかし、この構成ではドアの摺動性が低下する虞がある。そこでさらに、ドアの摺動性を低下させることなく、ドアの位置精度を向上させるために、ドア及びガイド部の形状精度を向上させることが考えられる。しかし、この場合にはコストが増大してしまう。
【０００７】
本発明は、かかる点に鑑みてなされたものであり、その目的とするところは、ドアのケース内側への落ち込みの防止を低コストで実現することにある。
【課題を解決するための手段】
【０００８】
本発明に係るテープカートリッジは、テープが巻回されたテープリールと、前記テープリールを収容し、前記テープを引き出すための開口が側壁に形成されたケースと、前記ケースの外部に露出する取っ手部を有し、前記側壁に沿ってスライド可能に設けられて前記開口を開放及び閉塞するドアとを備え、前記ケースには、前記ドアを所定のスライド方向に摺動可能に案内するガイド部が形成され、前記ガイド部及び前記ドアの一方には、前記ドアが閉塞するときに、該ガイド部及び該ドアの他方に当接することによって該ドアを前記ケースの外向きに押す当接部が設けられているものとする。
【０００９】
前記の構成の場合、ドアは、当接部の存在により、閉塞するときにケースの外向きに押される。その結果、ドアが内側に落ち込むこと防止される。
【発明の効果】
【００１０】
本発明によれば、当接部を設けるという簡単な構成でドアをケースの外向きの押すため、ドアのケース内側への落ち込みを低コストで防止することができる。
【図面の簡単な説明】
【００１１】
【図１】本発明の実施形態に係る磁気テープカートリッジの分解斜視図である。
【図２】磁気テープカートリッジ及びテープドライブの斜視図である。
【図３】ケースの内側且つ斜め上方から見たときのドアの斜視図である。
【図４】下ケースのケース内方の様子を示す斜視図である。
【図５】下ケースにおける開口周辺の拡大斜視図である。
【図６】下ケースを右側から見た側面図である。
【図７】図６のVII−VII線における断面図である。
【図８】図６のVIII−VIII線における断面図である。
【図９】その他の実施形態に係る磁気テープカートリッジの、図７に相当する、開口周辺の拡大断面図である。
【図１０】その他の実施形態に係る磁気テープカートリッジの、図７に相当する、開口周辺の拡大断面図である。
【図１１】その他の実施形態に係る磁気テープカートリッジの、図７に相当する、開口周辺の拡大断面図である。
【図１２】その他の実施形態に係る磁気テープカートリッジの、図７に相当する、開口周辺の拡大断面図である。
【発明を実施するための形態】
【００１２】
以下、本発明の例示的な実施形態を図面に基づいて詳細に説明する。
【００１３】
図１は、本発明の実施形態に係る磁気テープカートリッジの分解斜視図である。
【００１４】
実施形態に係る磁気テープカートリッジ１は、例えば、電子計算機に記録された記録データをバックアップするためのストレージデバイスとして使用されるＬＴＯ（Linear Tape Open）規格に準拠した１リール（単一リール）型のカートリッジ式情報記録媒体である。磁気テープカートリッジ１は、ケース２、テープリール３、磁気テープＴ（図７にのみ図示）、ロック解除具４、リール押え５、バネ５３、カートリッジメモリ１１、及びライトプロテクトプラグ１２を備えている。この磁気テープカートリッジ１がテープカートリッジを、磁気テープＴがテープを構成する。
【００１５】
ケース２は、平面視正方形状の扁平な直方体に形成されている。すなわち、ケース２は、平面視正方形状の上壁２１及び下壁２２と、細長い長方形状の４つの側壁２３〜２６とを有している。ここで、磁気テープカートリッジ１を、後述するテープドライブ９に挿入するときに、テープドライブ側を向いている側壁を前側壁２３、前側壁２３と対向する側壁を後側壁２４、テープドライブ９の方を向いて右側の側壁を右側壁２５、テープドライブ９の方を向いて左側の側壁を左側壁２６と称する。また、ケース２は、合成樹脂製の上ケース２Ａと下ケース２Ｂとの分割構造になっている。上ケース２Ａと下ケース２Ｂとの分割ラインは、側壁２３〜２６をそれぞれ通るようになっている。これらの上ケース２Ａ及び下ケース２Ｂは、それぞれ、平面視正方形状の浅皿状に形成されている。上ケース２Ａの天板内面には、その略中央において、断面十文字状のガイド突起（図示省略）が下方に突出するように形成されている。上ケース２Ａと下ケース２Ｂとは、ネジで締結されている。ケース２の内部には、テープリール３が収容されている。下ケース２Ｂの底板には、その略中央において、テープリール３の被駆動ギア（図示省略）を外部に露出させるためのギア開口２０ａが形成されている。
【００１６】
また、ケース２の右側壁２５には、テープリール３に巻回された磁気テープを外部に引き出すための開口２７が形成されている。この開口２７は、薄板状のドア６によって開閉可能に塞がれている。ドア６は、バネ１３を介して、開口２７を閉じる方向へ付勢されている。
【００１７】
さらに、ケース２内における、後側壁２４と右側壁２５とで構成される隅部には、円弧状のリブによって区画されたメモリ収容部２０ｂが形成されている。このメモリ収容部２０ｂには、カートリッジメモリ１１が収容される。カートリッジメモリ１１は、磁気テープカートリッジ１の製造情報や使用履歴情報、磁気テープのパーテーション情報などを記憶するようになっている。
【００１８】
さらにまた、ケース２内における、後側壁２４と左側壁２６とで構成される隅部には、平板状のリブによって区画されたプラグ収容部２０ｃが形成されている。このプラグ収容部２０ｃには、ライトプロテクトプラグ１２が収容される。ライトプロテクトプラグ１２は、磁気テープカートリッジ１に記録されているデータの誤消去を防止するためのものである。ライトプロテクトプラグ１２は、データ消去許容位置とデータ消去禁止位置との間でスライド移動可能にプラグ収容部２０ｃに収容されている。
【００１９】
テープリール３は、円筒状のハブ３１と、該ハブ３１の上端に鍔状に設けられた上フランジ３２と、該ハブ３１の下端に鍔状に設けられた下フランジ３３と、該下フランジ３３に取り付けられた金属製の吸着板３４とを有している。これらハブ３１、上フランジ３２及び下フランジ３３は、合成樹脂で形成されている。さらに詳しくは、ハブ３１と下フランジ３３とは一体成形されている。そして、下フランジ３３と一体成形されたハブ３１の上端に、上フランジ３２が超音波溶着されている。
【００２０】
ハブ３１は、上端側（即ち、上フランジ側）が開口する一方、下端側（即ち、下フランジ側）が閉塞する有底円筒状に形成されている。ハブ３１に、磁気テープの基端部が取り付けられる。そして、ハブ３１の外周面に、磁気テープが巻回されている。磁気テープの先端部には、リーダーピンＰ（図７にのみ図示）が設けられている。このリーダーピンＰがリーダー部材を構成する。
【００２１】
ハブ３１の底壁上面（内面）には、３つの円弧状のリブ３１ｂ（図１では、１つだけ図示）が、互いに間隔を空けて同一円周上に並んだ状態で突設されている。これらリブ３１ｂの上面には、被ロックギア３１ａが形成されている。ハブ３１の底壁には、隣接するリブ３１ｂの間の部分、即ち、リブ３１ｂが設けられていない部分の、径方向外側には、ロック解除具４の後述する爪部４３が嵌合する開口（図示省略）が貫通形成されている。
【００２２】
また、ハブ３１の底壁下面（外面）の中央には、吸着板３４が取り付けられている。さらに、ハブ３１の底壁下面の外周縁には、被駆動ギア（図示省略）が環状に形成されている。尚、前記開口は、底壁のうち被駆動ギアが形成されている部分に開口している。つまり、被駆動ギアの歯に混ざって、ロック解除具４の爪部４３が開口からハブ３１の底壁下面に突出することになる。
【００２３】
また、テープリール３においては、被駆動ギア及び吸着板３４が下ケース２Ｂのギア開口２０ａからケース２の外部に露出している。磁気テープカートリッジ１をテープドライブ９に装填したときには、吸着板３４がテープドライブ９のモータの駆動軸に磁気吸着され、被駆動ギアに該駆動軸の駆動ギアが噛合するようになっている。
【００２４】
リール押え５は、上向きに開口する扁平な有底筒状をしており、その外径は、テープリール３のハブ３１の内径よりも小さく設定されている。このリール押え５は、該ハブ３１内に配設される。また、リール押え５の底壁上面（内面）の中央には、４個の断面Ｌ字状のリブ５１，５１，…が突設されていて、これら４つのリブ５１，５１，…により十文字状のスライド溝５２が形成されている。このスライド溝５２は、上ケース２Ａのガイド突起（図示省略）と同様の形状をしていて、該ガイド突起に対して上下方向にスライド移動可能でかつ相対回転不能に係合している。また、リール押え５の底壁下面（外面）には、ロックギア（図示省略）が形成されている。このロックギアは、テープリール３のハブ３１の被ロックギア３１ａに噛合するように形成されている。
【００２５】
バネ５３は、コイルバネである。バネ５３の内径は、上ケース２Ａのガイド突起及びリール押え５のリブ５１，５１，…を外周から囲む程度の値に設定されている。すなわち、バネ５３は、上ケース２Ａとリール押え５との間において、ガイド突起とリブ５１，５１，…とを外周から囲むように配置されている。このバネ５３は、上ケース２Ａと下ケース２Ｂとが接合されることによって収縮変形して、リール押え５を下側（テープリール３側）に付勢するようになっている。
【００２６】
こうして下側に付勢されるリール押え５は、そのロックギアをテープリール３の被ロックギア３１ａに噛合させた状態で、該テープリール３を下側に押圧する。このとき、リール押え５は、リブ５１，５１，…が上ケース２Ａのガイド突起に係合して、上ケース２Ａに対して回転不能な状態となっているため、被ロックギア３１ａがリール押え５のロックギアに噛合しているテープリール３も回転不能な状態となっている。磁気テープカートリッジ１は、非駆動時には、この状態となっている。
【００２７】
ロック解除具４は、本体４１と該本体４１から放射状に延びた３つの腕部４２，４２，４２とを有している。各腕部４２の先端には、屈曲して下方に延びる爪部４３が形成されている。リール押え５のロックギアがハブ３１の被ロックギア３１ａに噛合している状態においては、該リール押え５とハブ３１の底壁との間には隙間が形成されており、ロック解除具４は、このハブ３１の底壁とリール押え５との隙間に配設されている。このとき、ロック解除具４の腕部４２，４２，４２は、ハブ３１の底壁上面のリブ３１ｂとリブとの間を延びて、爪部４３がハブ３１の底壁の開口に嵌っている。ロック解除具４は、磁気テープカートリッジ１の非駆動時には、この状態となっていて、リール押え５のロックギアとハブ３１の被ロックギア３１ａとの噛合状態に影響を与えることはない。一方、磁気テープカートリッジ１がテープドライブに装填されたとき、即ち、駆動時には、ロック解除具４は上方に押し上げられるようになっている。上方に押し上げられたロック解除具４は、さらに、リール押え５をバネ５３の付勢力に抗して押し上げるようになっている。リール押え５が押し上げられると、該リール押え５のロックギアとハブ３１の被ロックギア３１ａとの噛合が解除され、テープリール３の回転が許容されるようになっている。
【００２８】
このように構成された磁気テープカートリッジ１は、テープドライブ９に装填される。図２を参照しながら、磁気テープカートリッジ１の装填について説明する。図２に、磁気テープカートリッジ１及びテープドライブ９の斜視図を示す。
【００２９】
テープドライブ９には、磁気テープカートリッジ１を挿入するための挿入口９１が設けられている。挿入口９１には、磁気テープカートリッジ１のドア６と係合する係合部９２が設けられている。尚、係合部９２は、挿入口９１ではなく、挿入口９１よりもテープドライブ９の内方に設けられていてもよい。
【００３０】
磁気テープカートリッジ１が挿入口９１に挿入されるときに、その途中で、ドア６が係合部９２に係合する。その状態から、磁気テープカートリッジ１がさらに挿入されると、ドア６が係合部９２に係合しているため、ドア６がケース２に対して開く方向へ相対的に移動する。そして、磁気テープカートリッジ１の装填が完了したときには、ケース２の開口２７が開放された状態となる。装填完了後、テープドライブ９の引出機構が、磁気テープカートリッジ１の開口２７からケース２内に進入し、磁気テープの先端に設けられたリーダーピンを把持し、磁気テープをケース２から引き出す。
【００３１】
このように、磁気テープカートリッジ１は、テープドライブ９への挿入動作に伴ってドア６が開かれる。
【００３２】
次に、前記ドア６の構成について詳しく説明する。図３に、ドアを、ケースの内側且つ斜め上方から見たときの斜視図を示す。
【００３３】
ドア６は、概略長方形状の本体部６０と、本体部６０の一方の短辺部に設けられた取っ手部６１と、本体部６０の他方の短辺部に設けられ、バネ１３が係合するバネ係合部６２と、本体部６０の両長辺部に形成された薄肉部６３，６３と、薄肉部６３，６３のそれぞれと本体部６０とを繋ぐ傾斜面６４，６４とを有する板状の部材である。
【００３４】
本体部６０は、ケース２に配設したときに、ケース２の外方を向く面を表面６０ａとし、ケース２の内方を向く面を裏面６０ｂとする。
【００３５】
取っ手部６１は、本体部６０の長手方向における一端側の短辺部において、長手方向の外側及び厚み方向の表面６０ａ側に突出するように設けられている。取っ手部６１の長手方向外側への突出量は、ケース２の前側壁２３の板厚よりも薄い。また、取っ手部６１の厚み方向の表面６０ａ側への突出量は、ケース２の右側壁２５の板厚と略同じである。
【００３６】
バネ係合部６２は、本体部６０の長手方向における他端側の短辺部から、さらに長手方向外側へ延びている。バネ係合部６２には、長手方向外側から大きな第１切欠部６２ａが形成されている。第１切欠部６２ａの内部の下方には、さらに、第２切欠部６２ｂが形成されている。この第２切欠部６２ｂに、バネ１３の端部が係合する。
【００３７】
ドア６は、前記取っ手部６１の方を先端側とし、前記バネ係合部６２の方を基端側とする。
【００３８】
各薄肉部６３は、本体部６０の各長辺部における、相対的に先端側の部分に形成されている。すなわち、各薄肉部６３は、本体部６０の各長辺部に沿って、本体部６０の先端から本体部６０の長手方向中央部に向かって形成されている。各薄肉部６３は、本体部６０の裏面６０ｂが陥没することで形成されている。すなわち、本体部６０の表面６０ａは、全体的に平坦な面に形成されており、薄肉部６３と、薄肉部６３以外の部分とで変化はない。
【００３９】
傾斜面６４は、薄肉部６３の基端側に形成されており、本体部６０の裏面６０ｂと薄肉部６３とを繋いでいる。傾斜面６４は、後方に向かってドア６の厚みが大きくなるように傾斜している。
【００４０】
次に、ケース２における開口２７周辺の構造について詳しく説明する。図４には、下ケース２Ｂのケース内方の様子を示す斜視図を、図５には、下ケース２Ｂにおける開口２７周辺の拡大斜視図を、図６には、下ケース２Ｂを右側から見た側面図を、図７は、図６のVII−VII線における断面図を、図８には、図６のVIII−VIII線における断面図を示す。
【００４１】
ケース２の上壁２１及び下壁２２には、開口２７の近傍において、ドア６を案内するガイド溝７と、リーダーピンを収容するためのピン収容部８とが形成されている。このガイド溝７がガイド部及び案内溝を構成する。ガイド溝７及びピン収容部８の構成は、上壁２１と下壁２２とで同様である。そこで、以下では、下壁２２におけるガイド溝７及びピン収容部８について説明する。
【００４２】
ピン収容部８は、下壁２２のうち、開口２７の前端部（前側壁２３寄りの部分）において陥没した状態で形成されている。ピン収容部８は、平面視で概略長方形状に形成されている。ピン収容部８は、その長手方向が前側壁２３と平行になるように、即ち、短手方向が右側壁２５と平行になるように設けられている。ピン収容部８は、詳しくは後述するガイド溝７と交差して、さらには、右側壁２５を突き抜けて、ケース２の外方に開口している。つまり、このピン収容部８の開口部８１においては、右側壁２５が切り欠かれており、それに加えて、底面がケース２の外方に向かって下方に傾斜している。また、開口部８１は、その幅が外方に向かって末広がりに拡がっている。ピン収容部８のうち長手方向の概略中央部分には、２つの受け部８２，８３が形成されている。受け部８２，８３のそれぞれには、収容されたリーダーピンを受け止めるための湾曲面８２ａ，８３ａが形成されている。湾曲面８２ａ，８３ａで囲まれた空間が、リーダーピンを収容する収容空間８５となる。収容空間８５は、開口部８１と繋がっていて、ケース外方に開放されている。また、ピン収容部８における、受け部８２，８３よりも長手方向奥側の位置（即ち、ケース内方）には、位置決めピン８４が設けられている。
【００４３】
このピン収容部８には、リーダーピンを保持するための保持バネ８６が配設される。この保持バネ８６が保持部を構成する。保持バネ８６は、屈曲した板金で構成された板バネである。詳しくは、保持バネ８６は、位置決めピン８４が嵌合する嵌合穴が形成された平板部８６ａと、平板部８６ａの一端縁から立設され且つケース外方へ向かって細長く延びる延伸部８６ｂと、延伸部８６ｂの先端において屈曲して形成された屈曲部８６ｃとを有している。保持バネ８６は、平板部８６ａの嵌合穴に位置決めピン８４が嵌め込まれるようにしてピン収容部８に設置される。このとき、延伸部８６ｂは、ピン収容部８の受け部８２の側方（前側）を通過して、開口部８１まで延びている。屈曲部８６ｃは、受け部８２よりもケース外方（即ち、右側壁２５寄り）において、開口部８１内に突出している。つまり、この屈曲部８６ｃによって、収容空間８５と開口部８１との境目にくびれが形成される。
【００４４】
このように構成されたピン収容部８には、磁気テープＴがテープリール３に巻回されることによって、リーダーピンＰが収容される。詳しくは、リーダーピンＰは、ピン収容部８の開口部８１を通ってケース２内に入ってくる。ここで、開口部８１においては、下壁２２の底面が外方に向かって下方に傾斜していると共に幅が外方に向かって末広がりに拡がっているため、リーダーピンＰはケース２内へスムーズに案内される。ケース２内に入ったリーダーピンＰは、まず、保持バネ８６の屈曲部８６ｃに当接する。リーダーピンＰがさらに引き込まれると、リーダーピンＰは、保持バネ８６の延伸部８６ｂを外側に押し広げながら、収容空間８５内に進入する。その後、リーダーピンＰは、受け部８２，８３の湾曲面８２ａ，８３ａに当接する。保持バネ８６は、リーダーピンＰの通過と同時に元の状態に戻る。その結果、リーダーピンＰは、受け部８２，８３の湾曲面８２ａ，８３ａ及び保持バネ８６の屈曲部８６ｃによって囲まれた状態となる。こうして、リーダーピンＰが、湾曲面８２ａ，８３ａ及び屈曲部８６ｃにより収容空間８５内に保持される。
【００４５】
尚、磁気テープＴが引き出されるときには、テープドライブ側の引出機構によって、ピン収容部８内のリーダーピンＰが把持され、引き出されていく。このとき、保持バネ８６は、リーダーピンＰを引き込む際と同様に、延伸部８６ｂを外側に押し広げながら、ケース外方へ移動していく。
【００４６】
続いて、ガイド溝７について説明する。ガイド溝７は、開口２７に隣接して、右側壁２５に沿って形成されている。ガイド溝７は、底面７１と、ケース外寄りの側面（以下、「外側面」ともいう）７２と、ケース内寄りの側面（以下、「内側面」ともいう）７３とを有している。
【００４７】
外側面７２は、右側壁２５のケース内方を向く面（以下、「内表面」ともいう）２５ａで構成されている。右側壁２５は、開口２７を形成するために前端部が低く切り欠かれている。この切欠部分では、右側壁２５が完全に存在しないわけではなく、高さが低いながらも右側壁２５が存在し、前側壁２３まで延びている。ただし、右側壁２５における開口２７のための切欠部分のうち、ピン収容部８の開口部８１が設けられた部分は、さらに切り欠かれている。この開口部８１のための切欠部分においては、右側壁２５は完全に存在しない。
【００４８】
下壁２２には、ガイド壁７４が立設されている。ガイド溝７の相対的に後側の部分では、このガイド壁７４のケース外方を向く面（以下、「外表面」ともいう）７４ａで内側面７３が構成されている。ガイド壁７４は、右側壁２５よりもケース内方において、該右側壁２５と平行に設けられている。すなわち、ガイド壁７４の外表面７４ａは、右側壁２５の内表面２５ａと対向する面である。ガイド壁７４の前端は、開口２７の後端部まで延びている。すなわち、ガイド壁７４は、開口２７に対応する部分には、形成されていない。ガイド壁７４の前端は、上ケース２Ａと下ケース２Ｂとをネジ締結するためのボス２８に連結している。また、ガイド壁７４の後端は、メモリ収容部２０ｂを形成するリブに連結されている。ガイド壁７４の後端部には、バネ１３の一端が係合する係合部７４ｂが形成されている。
【００４９】
ガイド溝７の相対的に前側の部分、即ち、開口２７が形成された部分では、下ケース２Ｂの下壁２２によって内側面７３が構成されている。詳しくは、ガイド溝７の前側部分では、下壁２２のケース内方を向く面（以下、「内表面」ともいう）２２ａが陥没することでガイド溝７が形成されている。そのため、下壁２２には、その内表面２２ａとガイド溝７の底面７１とを繋ぐ側面２２ｂが形成されている。側面２２ｂは、ガイド壁７４の外表面７４ａと連続的に繋がっており、外表面７４ａと共に１つの平面を形成している。側面２２ｂは、右側壁２５のうち、開口２７のための切欠部分における内表面２５ａと対向している。
【００５０】
この側面２２ｂは、ピン収容部８に対応する部分には設けられていない。ただし、ピン収容部８よりも前側であって前側壁２３に隣接する部分には、下壁２２の内表面２２ａが陥没することで形成された側面２２ｃが設けられている。この側面２２ｃは、右側壁２５のうち、開口２７のための切欠部分における内表面２５ａと対向している。
【００５１】
つまり、内側面７３の相対的に後側の部分は、ガイド壁７４の外表面７４ａで構成され、内側面７３の相対的に前側の部分は、下壁２２の側面２２ｂ、２２ｃで構成されている。
【００５２】
そして、ガイド溝７の内側面７３には、外側面７２の方へ膨出する膨出部７５が形成されている。詳しくは、膨出部７５は、側面２２ｂの前端部、即ち、側面２２ｂのうち、ピン収容部８に隣接する部分に形成されている。膨出部７５は、平面視で概略台形状をしている。膨出部７５は、側面２２ｂと平行な平行面７５ａと、平行面７５ａと側面２２ｂとを繋ぐ第１傾斜面７５ｂと、平行面７５ａとピン収容部８の受け部８３とを繋ぐ第２傾斜面７５ｃとを有している。第１傾斜面７５ｂは、ガイド溝７の長手方向に沿って、前方（即ち、ドア６を閉じる方向）に向かうほど、ガイド溝７の溝幅が徐々に狭くなるように傾斜している。この膨出部７５が当接部を構成する。
【００５３】
つまり、ガイド溝７の溝幅は、第１傾斜面７５ｂよりも後側の部分においては、所定の幅で一定になっている。具体的には、この部分の溝幅は、ドア６の本体部６０の厚みよりも少し大きな値に設定されている。そして、第１傾斜面７５ｂの部分において、ガイド溝７の溝幅は、前方に向かって徐々に狭くなる。平行面７５ａの部分において、ガイド溝７の溝幅は、最も狭くなる。平行面７５ａの部分における溝幅は、ドア６の本体部６０の厚みよりも小さく且つ薄肉部６３の厚みよりも少し大きな値に設定されている。尚、側面２２ｃの部分におけるガイド溝７の溝幅は、平行面７５ａの部分における溝幅と略同じである。したがって、ガイド溝７は、右側壁２５の内表面２５ａとガイド壁７４の外表面７４ａ及び下壁２２の側面２２ｂとで構成され、所定の溝幅を有する通常部７Ａと、右側壁２５の内表面２５ａと第１傾斜面７５ｂとで構成され、通常部７Ａから溝幅が徐々に狭くなる漸減部７Ｂと、右側壁２５の内表面２５ａと平行面７５ａ及び側面２２ｃとで構成され、溝幅が最も小さい狭小部７Ｃとを有している。
【００５４】
このように構成されたガイド溝７にドア６が配設される。ドア６は、ガイド溝７の長手方向、即ち、ケース２の右側壁２５と平行な方向にスライド可能となっている。この右側壁２５と平行な方向がスライド方向に相当する。このとき、バネ１３の一端部は、ドア６の第２切欠部６２ｂに係合する一方、他端部は、ガイド壁７４の係合部７４ｂに係合している。ドア６は、バネ１３の付勢力により、前側壁２３に向かって付勢され、開口２７を閉じている。このとき、ドア６の先端は、前側壁２３に当接している。前側壁２３の右端部には、取っ手部６１が収容される切欠部２３ａが形成されている。つまり、ドア６の取っ手部６１は、前側壁２３の切欠部２３ａ内に位置している。この状態から、ドア６をバネ１３の付勢力に抗して後方へ押圧すると、ドア６がガイド溝７に沿って後方へ移動する。ドア６を後方へ押圧していた力を取り除くと、ドア６は、バネ１３の付勢力により前方へ移動し、開口２７を閉じる。
【００５５】
このドア６が閉じるときのドア６の挙動を以下に詳しく説明する。
【００５６】
ドア６が全開状態においては、ドア６の全ての部分がガイド溝７の通常部７Ａ内に位置している。通常部７Ａの溝幅はドア６の本体部６０の厚みよりも大きいため、ドア６は、ガイド溝７の溝幅方向に多少がたつく。
【００５７】
ドア６がガイド溝７に沿って前方へ移動していくと、やがて、ドア６の先端がガイド溝７の漸減部７Ｂに到達する。ここで、ドア６の先端部の下端縁及び上端縁には、前記薄肉部６３，６３が形成されている。この薄肉部６３は、前述の如く、ドア６の裏面６０ｂが陥没して設けられている。また、薄肉部６３の幅（即ち、ドア６をガイド溝７に設置したときの上下方向への寸法）は、ガイド溝７のうち、膨出部７５が位置する部分の深さよりも大きい。さらに、薄肉部６３の厚み（即ち、ドア６をガイド溝７に設置したときの溝幅に相当する方向への寸法）は、狭小部７Ｃの溝幅よりも小さい。そのため、ドア６の本体部６０は、膨出部７５の第１傾斜面７５ｂに衝突せず、ドア６の薄肉部６３が膨出部７５の第１傾斜面７５ｂに衝突する。第１傾斜面７５ｂは、ガイド溝７に直行するわけではなく、前方に向かってガイド溝７の外側面７２に近づくように傾斜しているので、第１傾斜面７５ｂに衝突したドア６は、第１傾斜面７５ｂに案内されて、外側面７２、即ち、右側壁２５に近づきながら、前方へ移動していく。そして、ドア６の先端部は、ガイド溝７の狭小部７Ｃへ進入する。尚、ドア６が右側壁２５に当接した状態で移動する場合には、ドア６の薄肉部６３は、第１傾斜面７５ｂに衝突することなく、ガイド溝７の狭小部７Ｃへ進入していく。
【００５８】
ドア６の薄肉部６３の厚みは狭小部７Ｃの溝幅よりも小さいので、ドア６の先端部が狭小部７Ｃに進入した後も、ドア６は溝幅方向に多少のガタツキを有した状態で前方へ移動していく。
【００５９】
ドア６の先端部は、ピン収容部８の開口部８１を通って、保持バネ８６の屈曲部８６ｃの周辺に達する。ここで、ドア６の先端部には前述の如く、裏面６０ｂが陥没した薄肉部６３が設けられているため、ドア６が保持バネ８６に干渉することはない。やがて、ドア６の先端部は、ピン収容部８の開口部８１を完全に塞いで、右側壁２５における、開口部８１のための切欠部よりも前側の部分に達する。
【００６０】
その後、ドア６の薄肉部６３のほとんどの部分が狭小部７Ｃ内に進入し、やがて、ドア６の傾斜面６４が膨出部７５に衝突する。詳しくは、ドア６の傾斜面６４が、膨出部７５における、第１傾斜面７５ｂと平行面７５ａとで形成される稜線部に衝突する。傾斜面６４は、後方（即ち、ドア６が開く方向）に向かってガイド溝７の内側面７３との間隔が徐々に狭くなるように傾斜しているため、ドア６が前方へ進むにつれて、膨出部７５によってケース外方へ押圧される。その結果、ドア６の、少なくとも前端部が右側壁２５の内表面２５ａに当接した状態となる。このとき、図８に示すように、ドア６は、ガイド溝７の長手方向に対して、先端側が外寄りに、基端側が内寄りになるように傾斜した状態となり得る。しかし、ドア６の基端部に位置するバネ係合部６２は、裏面６０ｂ側が本体部６０よりも陥没しているため、バネ係合部６２がガイド壁７４の外表面７４ａに当接することはない。
【００６１】
最終的には、ドア６の先端は、ガイド溝７のうち、側面２２ｃが位置する部分に達し、さらには、前側壁２３に当接して開口２７を完全に閉じきった状態となる。このときも、ドア６の、少なくとも前端部が右側壁２５に当接している。その結果、ドア６の取っ手部６１は、前側壁２３の切欠部２３ａ内であって且つ右側壁２５の方へできる限り寄った位置に位置している。ただし、取っ手部６１の表面６０ａ側への突出量は、右側壁２５の厚みと略同じであるので、取っ手部６１は、右側壁２５のケース外方を向く面である外表面２５ｂと略面一となる。尚、取っ手部６１の前側への突出量は、前側壁２３の厚みよりも薄いので、取っ手部６１は、前側壁２３よりも前方へ突出することはない。
【００６２】
したがって、本実施形態によれば、ドア６が閉まるときに、ドア６の傾斜面６４にガイド溝７の膨出部７５が当接してドア６をケース外側へ向かって押すことによって、ドア６をケース２のできる限り外よりに位置させることができる。これにより、ドア６の取っ手部６１がケースの内方へ落ち込んでしまうことを防止することができる。つまり、ドア６の取っ手部６１を、磁気テープカートリッジ１をテープドライブ９に挿入時にテープドライブ９の係合部９２に必ず係合し且つ、該挿入時にテープドライブ９の挿入口９１の縁等の係合部９２以外の部分に干渉しない適切な位置に位置させることができる。
【００６３】
また、ドア６が閉じるときに該ドア６と干渉する膨出部７５をガイド溝７に設けるだけなので、ドア６の落ち込みを防止する構成を低コストで実現することができる。
【００６４】
さらに、ドア６は、ピン収容部８の保持バネ８６との干渉を避けるべく、薄肉部６３を形成する必要がある。そして、薄肉部６３を形成することによって本体部６０との間で形成される段差を利用して傾斜面６４を設けている。すなわち、保持バネ８６との干渉を避けるための薄肉部６３を利用することによって、簡単な構成で、ドア６の落ち込みを防止する構成を実現することができる。
【００６５】
また、ドア６に傾斜面６４を設けることによって、ドア６の板厚が本体部６０と薄肉部６３との間で急激に変わることを防止することができる。ドア６の厚みの変化をなだらかにすることによって、成形時のドア６の反りを抑制することができる。
【００６６】
さらにまた、膨出部７５が当接する部分を傾斜面６４とすることによって、ドア６を、閉まる方向に移動させながら、ケース外方へスムーズに移動させることができる。
【００６７】
さらに、ドア６の傾斜面６４が膨出部７５に当接するタイミングを、ドア６の先端がピン収容部８の開口部８１を閉じた後にすることによって、ドア６の先端が開口部８１において右側壁２５に引っ掛かることを防止することができる。すなわち、ドア６の先端が開口部８１を通過する前に傾斜面６４が膨出部７５に当接してしまうと、開口部８１には右側壁２５が存在しないので、ドア６の先端が開口部８１において、右側壁２５の内表面２５ａよりも外側に出てしまう虞がある。そのまま、ドア６が前方へ移動すると、ドア６の先端が、右側壁２５のうち、開口部８１の前側に位置する部分に引っ掛かってしまい、ドア６を閉めることができない。それに対して、本実施形態では、ドア６の先端が開口部８１を通過した後に傾斜面６４が膨出部７５に当接するため、ドア６の先端が開口部８１に位置する間にドア６が外方へ押圧されることがない。そして、ドア６が開口部８１を閉じた後に、傾斜面６４が膨出部７５に当接することによってドア６が外方へ押圧される。こうして、ドア６の先端が開口部８１において右側壁２５に引っ掛かることを防止することができる。
【００６８】
《その他の実施形態》
本発明は、前記実施形態について、以下のような構成としてもよい。
【００６９】
前記実施形態では、ドア６に傾斜面６４を設け、ガイド溝７に、傾斜面６４と当接する膨出部７５を設けているが、これに限られるものではない。例えば、図９に示すように、傾斜面をガイド溝７に設ける一方、該傾斜面に当接する当接部をドア６に設けてもよい。具体的には、ガイド溝７の膨出部７５の第１傾斜面７５ｂを傾斜面として機能させる。また、ドア６の本体部６０と薄肉部６３との境目に形成される角部が当接部６５を構成する。この当接部６５は、薄肉部６３から見れば、ガイド溝７の内側面７３の方へ膨出している。かかる構成の場合、ドア６が閉じられるときに、ドア６の当接部６５が膨出部７５の第１傾斜面７５ｂに当接し、さらには、当接部６５が第１傾斜面７５ｂに当接した状態でドア６がさらに閉じられることによって、ドア６がケースの外向きに押されながら閉じる方向に移動していく。これにより、ドア６の落ち込みが防止される。
【００７０】
すなわち、ドア６及びガイド溝７の一方に傾斜面が設けられ、他方に当接部が設けられ、ドア６が閉じる方向へ移動する際に傾斜面と当接部とが当接することによってドア６がケースの外側へ押圧される構成であれば、任意の構成を採用することができる。
【００７１】
傾斜面や当接部の形状も、任意の形状を採用することができる。例えば、当接部の形状は、前記膨出部７５の構成に限定されるものではない。当接部は、台形状に限らず、長方形状でも、三角形状でも、五角形状でもよい。また、当接部は、図１０に示す膨出部７５のように、平面視で半円形状であってもよい。また、傾斜面は、平面ではなく、湾曲面であってもよい。
【００７２】
さらに、傾斜面を設ける場合、ガイド溝７の長手方向に平行な面は必須ではない。すなわち、ドア６に傾斜面を設ける場合、図１１に示すように、ドア６の裏面６０ｂを全体的に表面６０ａに対して傾斜させ、裏面６０ｂで傾斜面６４を構成してもよい。あるいは、ガイド溝７に傾斜面を設ける場合、図１２に示すように、内側面７３を全体として、ガイド溝７の長手方向に対して、前方に向かって溝幅が狭くなるように傾斜させてもよい。
【００７３】
また、ドア６に当接部を設ける場合には、図９に示すように本体部６０と薄肉部６３との段差部で当接部を構成するものに限られない。例えば、図１２に示すように、ドア６の全体を、保持バネ８６と干渉しない程度の薄さに形成し、そのドア６の裏面６０ｂにガイド溝７の内側面７３側に膨出する当接部６５を設ける構成であってもよい。
【００７４】
前記実施形態では、ドア６の傾斜面６４は、ドア６の先端がピン収容部８の開口部８１を通過した後に、膨出部７５に当接するように構成されているが、これに限られるものではない。ドア６及びガイド溝７の片方ずつに設けられた傾斜面及び当接部との当接は、ドア６が全開状態から全閉状態へ至るストロークのうち、後半の部分（即ち、全ストロークにおける中間地点よりも全閉側の領域）で発生することが好ましい。傾斜面と当接部とが当接するとドア６の摺動抵抗が大きくなる。傾斜面と当接部との当接を、全ストローク中の後半に生じさせることによって、摺動抵抗が大きくなるのを遅れさせることができる。ただし、前述の如く、ドア６が開口部８１で引っ掛かることを防止する観点からは、ドア６の傾斜面６４は、ドア６の先端がピン収容部８の開口部８１を通過した後に、膨出部７５に当接することが好ましい。
【００７５】
また、閉じた状態におけるドア６の先端部は、落ち込みが防止されて右側壁２５寄りに位置するため、図９，１０に示すように、側面２２ｃを設けなくてもよい。
【００７６】
尚、当接部及び傾斜面等の構成は、前述の異なる実施形態の間でで入れ替えたり、さらには、ドア６とガイド溝７との間で入れ替えたりして、任意の組み合わせを採用することができる。
【００７７】
前記実施形態では、磁気テープＴの先端にリーダーピンＰが設けられているが、これに限られるものではない。リーダーピンＰの代わりに、ブロック状のリーダー部材が設けられていてもよい。つまり、磁気テープＴの先端には、該磁気テープＴを引き出すためのリーダー部材が設けられていればよく、リーダー部材の形状は問わない。
【００７８】
尚、以上の実施形態は、本質的に好ましい例示であって、本発明、その適用物、あるいはその用途の範囲を制限することを意図するものではない。
【産業上の利用可能性】
【００７９】
以上説明したように、本発明は、テープリールとケースとを備えたテープカートリッジについて有用である。
【符号の説明】
【００８０】
Ｔ      磁気テープ（テープ）
Ｐ      リーダーピン（リーダー部材）
１      磁気テープカートリッジ（テープカートリッジ）
２      ケース
２２ｂ  側面（傾斜面）
２５    右側壁（側壁）
２７    開口
３      テープリール
６      ドア
６０    本体部
６０ｂ  裏面
６３    薄肉部
６４    傾斜面
６５    当接部
７      ガイド溝（ガイド部、案内溝）
７２    外側面
７３    内側面
７５    膨出部（当接部）
７５ｂ  第１傾斜面（傾斜面）
８６    保持バネ（保持部）
【図１】
0005666885.tif 000002
【図２】
0005666885.tif 000003
【図３】
0005666885.tif 000004
【図４】
0005666885.tif 000005
【図５】
0005666885.tif 000006
【図６】
0005666885.tif 000007
【図７】
0005666885.tif 000008
【図８】
0005666885.tif 000009
【図９】
0005666885.tif 000010
【図１０】
0005666885.tif 000011
【図１１】
0005666885.tif 000012
【図１２】
0005666885.tif 000013